(57)【要約】【課題】注射針の長さ調節用管組立体を提供する。【解決手段】本発明は、注射器のシリンダー上端に結合される固定部材と、固定部材に結合された注射針とからなる針組立体に結合し使用され、下側には固定部材に嵌合するように結合部が形成され、内部に注射針が貫通して先端に突出するための貫通口が形成された結合体と、注射針の長手方向に沿って移動可能に結合体に結合され、注射針の露出の長さを調節できるように形成された調節管とを含んでなる。【選択図】図１
2012515042.tif 000002
【特許請求の範囲】
【請求項１】
注射器のシリンダー上端に結合される固定部材と、前記固定部材に結合された注射針とからなる針組立体の一側に結合し使用され、
下側には前記固定部材に嵌合するように結合部が形成され、内部に前記注射針が貫通して先端に突出するための貫通口が形成された結合体と、
前記注射針の長手方向に沿って移動可能に前記結合体に結合され、前記注射針の露出の長さを調節できように形成された調節管と、
を含んでなることを特徴とする注射針の長さ調節用管組立体。
【請求項２】
前記結合体と調節管は互いに螺合するようになっていることを特徴とする請求項１に記載の注射針の長さ調節用管組立体。
【請求項３】
前記調節管は前記結合体の外側に結合するようになっていることを特徴とする請求項１に記載の注射針の長さ調節用管組立体。
【請求項４】
前記結合部は前記固定部材の前端部に結合されており、前記結合部の内側面の形状は前記固定部材の外部形状に対応するように形成し、前記結合体と固定部材との間に間隔が生じないようにぴったりと結合されることを特徴とする請求項１に記載の注射針の長さ調節用管組立体。
【請求項５】
前記調節管は断面の形状が円形又は多角形に形成されることを特徴とする請求項１乃至４の何れか一つに記載の注射針の長さ調節用管組立体。
【請求項６】
前記調節管の外周縁には多数の突起が形成されることを特徴とする請求項１乃至４の何れか一つに記載の注射針の長さ調節用管組立体。
【発明の詳細な説明】
【技術分野】
【０００１】
本発明は、注射の際に使用する注射針の長さを調整できるようにするためのものであり、より詳細には注射針のついた通常の注射器に組み合わせることができ、露出する注射針の長さを容易に調整できるように形成された注射針の長さ調節用管組立体に係るものである。
【背景技術】
【０００２】
注射液を投入するための注射方式には、皮下注射、皮内注射、筋肉注射（Ｉ．Ｍ）、静脈注射（Ｉ．Ｖ）等、多様な方法があり、このような注射方式は施術方式が違うだけでなく、使用する注射器の種類もまた違うことがほとんどである。施術時には該当する目的に合う規格化された注射針を使用しなければならない。
【０００３】
注射針の太さと長さによって注射針の規格が定められ、適合する規格の注射針をそれぞれの施術方法に合うように使用しなければならない。注射針の規格と同じように注射の深さもまた施術時の重要な要素として作用する。例として、脂肪分解注射の場合、注射液が十分に深く注射されず、皮膚周辺に注射される場合には、色素沈着が残る恐れがあり、あまりにも深く注射した場合には、筋肉が破壊され、筋肉痛を起こす場合がある。このような点を考慮して、施術者は注射液が正確に投与地点に注射されるように細心の注意を払わなければならない。
【０００４】
注射器による薬液の投与は医師や看護師等の専門家によって行われる場合が多いが、患者やその家族といった非専門家により行われることもある。持続的な使用が必要なインシュリン注射の場合には、後者による場合がより多いと言えるが、このような場合にはより多くの注意が必要だ。但し、どんな場合でも、注射時に誘発する痛み、注射部位、皮下脂肪組織等を考慮して適切な長さの注射針が使用されなければならず、正確な注射の深さが要求される。
【０００５】
注射針の長さは、注射する注射液に適合した位置を定めるにおいて、重要なだけでなく、比較的長い注射針は患者に心理的な不安を引き起こす要因として作用することもある。
【０００６】
また、様々な長さの注射針を個別に形成するには製造費用の増加を免れない。施術時毎、別途の注射針の使用は経済的な負担となる問題があった。
【発明の概要】
【発明が解決しようとする課題】
【０００７】
本発明は、前述した問題点を解決するために案出されたもので、通常の注射器への組合せが容易で、露出する注射針の長さの調整において、操作が便利な注射器結合用組立体を提供することを目的とする。
【課題を解決するための手段】
【０００８】
本発明は、注射器のシリンダー上端に結合される固定部材と、固定部材に結合された注射針とからなる針組立体に結合して使用されており、下側には固定部材に嵌合するように結合部が形成され、内部に注射針が貫通して先端に突出するように貫通口が形成された結合体と、注射針の長手方向に沿って移動可能なように結合体に結合され、注射針の露出の長さを調節できるように形成された調節管とを含んでなることを特徴とする注射針の長さ調節用管組立体が提供される。
【発明の効果】
【０００９】
前述したような本発明によれば、第一に、針組立体の固定部材に結合される結合体と結合体に移動可能なように結合された調節管を用いて通常の注射器に使用される注射針の露出の長さを容易に調節できる。
【００１０】
第二に、結合体と調節管が螺合するようになっているため、注射針の露出の程度の調整が容易で、注射する際、調節管が後ろに押されるのを防止できる。
【００１１】
第三に、結合体が固定部材の前端部の形状に対応した形状からなるようにして、結合体と固定部材間の堅固な結合が可能となり、通常の長さを有する注射針を比較的長さの短い注射針が要求される施術にも用いられるようにできる。
【００１２】
最後に、調節管の断面形状を多角形に形成したり、外周面に突起が形成されるようにして調節管の把持及び位置調整を容易にできる。
【図面の簡単な説明】
【００１３】
【図１】本発明の一実施例による注射針の長さ調節用管組立体を示した分解斜視図である。
【図２】図１で示した注射針の長さ調節用管組立体が針組立体に結合された状態を示した斜視図である。
【図３】本発明の他の実施例による注射針の長さ調節用管組立体が針組立体の固定部材に結合された形態を示した断面図である。
【図４】本発明の他の実施例による注射針の長さ調節用管組立体が針組立体の固定部材に結合された形態を示した断面図である。
【図５】本発明のまた他の実施例による調節管を示した斜視図及び断面図である。
【図６】本発明のさらにまた他の実施例による調節管を示した斜視図である。
【発明を実施するための形態】
【００１４】
図１は本発明の一実施例による注射針の長さ調節用管組立体を示した分解斜視図である。
【００１５】
本発明の望ましい実施例による注射針の長さ調節用管組立体１は、注射器のシリンダー１００の上端に結合される固定部材２１０と、前記固定部材２１０に結合された注射針２２０とからなる針組立体２００に結合し用いられ、下側には前記固定部材２１０に嵌合するようにして成る結合部１１が形成され、内部に前記注射針２２０が貫通して先端に突出するように貫通口１２が形成された結合体１０と、前記注射針２２０の長手方向に沿って移動可能なように前記結合体１０に結合され、前記注射針２２０の露出の長さを調節できるように形成された調節管２０とを含む。
【００１６】
注射器を利用した薬液の投与は、注射液が患者の身体内部に直接伝達されるため、使用時、格別な注意が必要である。外部の異物による感染の危険性、患者の心理的負担、適切な投与地点及び方法等、注射時に考慮しなければならない事項が多様に存在する。
【００１７】
最近では、用途と機能に合うように個別化された多様な形態の注射器が紹介されているが、通常の注射器は注射液を保存するシリンダー１００と前記シリンダー１００内部の注射液が外部に噴射されるように圧力を加えるピストンを含み、前記シリンダー１００の先端部は前記針組立体２００が結合するようになっている。図１には前記針組立体２００と前記シリンダー１００の結合状態が図で示されており、このような形態の前記針組立体２００及びシリンダー１００が現在最も広く用いられている形態に該当する。
【００１８】
前述したように、本発明は、既存の注射器で用いられる注射針２２０の露出の長さを適切に調整するためのものである。本発明は、注射針２２０が備えられた通常の全ての注射器に用いることができるのはもちろん、特に図１で示したように、前記注射針２２０が固定された前記固定部材２１０を含む形態の前記針組立体２００に結合されて用いられるのに好適である。
【００１９】
前記結合体１０は、全体の形状が円筒形であり、下側に結合部１１が設けられ、前記固定部材２１０と結合することになり、内部には長手方向に沿って貫通口１２が形成される。前記結合部１１は、前記固定部材２１０の一側に嵌めて固定し、前記注射針２２０は前記貫通口１２を通じて外部に露出されるようになっている。
【００２０】
前記結合体１０は、前記固定部材２１０の外側に結合し固定され、前記結合体１０は、前記固定部材２１０及び注射針２２０の一部を囲むように結合される。前記結合体１０は、前記注射針２２０が露出される長さを考慮し、多様な長さに形成できる。
【００２１】
前記調節管２０は、前記結合部１１上で移動可能に結合される。前記調節管２０は、製作の容易性及び使用の利便性等を考慮し、円筒形状が望ましい。つまり、前記調節管２０の側面は前記結合体１０に結合されるように形成され、前端部を通じて前記注射針２２０が外部に露出できるようになっている。前記調節管２０は、前記結合体１０に長手方向に沿ってスライド可能に構成することもできるが、後述するように両者間で螺合するように構成することもできる。
【００２２】
前記調節管２０の前端部は、前方に向かうに従って直径が減少するようにテーパ状に形成される。このように形成することによって、前記注射針２２０と前記調節管２０間の離間距離を減らすことができ、前記調節管２０が前記結合体１０上で移動時、前記注射針２２０によりある程度ガイドでき、前記調節管２０と注射針２２０の安定感を確保できる。
【００２３】
前記結合体１０と調節管２０の長さは、前記注射針２２０の露出の長さの範囲を決定させることになるため、用いられる注射器の用途によって多様な長さを備える前記結合体１０と調節管２０を形成できる。
【００２４】
本発明の望ましい実施例による注射針の長さ調節用管組立体１において、前記結合体１０と調節管２０は相互螺合するようになっている。
【００２５】
前記結合体１０上で前記調節管２０を移動可能に形成するにおいて、前記調節管２０が前記結合体１０に対してスライド移動可能に形成される。
【００２６】
前記結合体１０の外周面と前記調節管２０の内周面が互いに合うように形成し、移動時に両者間に一定の摩擦力が発生するようにして前記調節管２０の位置を調整できる。
【００２７】
但し、前記調節管２０の位置調整の容易さを図ると共に、注射の際、前記調節管２０が押し出されるのを防止するために前記結合体１０と調節管２０は互いに螺合して結合されることが望ましい。
【００２８】
前記結合体１０と調節管２０は、両方共に全体的な形状が円筒形をしており、互いに噛み合って回転できるように当接する面に螺子山が形成される。前記結合体１０と調節管２０はプラスティック素材からなることが望ましく、前記調節管２０が前記結合体１０上で意図しない外力によって簡単に移動されることを防止するため、互いに緩くならないように形成され結合される。
【００２９】
図２は図１に示した注射針の長さ調節用管組立体が針組立体に結合された状態を示した斜視図である。
【００３０】
本発明の望ましい実施例による注射針の長さ調節用管組立体１で、前記調節管２０は、前記結合体１０の外側に結合するようになっている。
【００３１】
前記結合体１０の外周縁に螺子山が形成され、これに噛み合うことができるように調節管２０の内周縁にもやはり螺子山が形成される。
【００３２】
前記調節管２０は外側面が前記結合体１０の内側面に結合し、移動可能な状態にすることができるが、この場合、使用者が前記調節管２０を把持するのが容易でなく、前記調節管２０の位置調整が難しいこともあるため、本発明においてはこれを考慮して、前記調節管２０が前記結合体１０を囲む形態を持つように形成する。使用者は前記調節管２０の外側面を把持して前記結合体１０に対して一定の位置に位置付けるように調節できる。
【００３３】
図３及び図４は各々本発明の他の実施例による注射針の長さ調節用管組立体が針組立体の固定部材に結合した形態を示した図である。
【００３４】
本発明の望ましい実施例による注射針の長さ調節用管組立体１において、前記結合部１１は前記固定部材２１０の前端部２１１に結合され、前記結合部１１の内側面形状は前記固定部材２１０の外部形状に対応するように形成されて前記結合体１０と固定部材２１０の間に間隔が生じないようにぴったりと結合される。
【００３５】
本発明による注射針の長さ調節用管組立体１において、前記結合体１０は、図３に示したように、前記固定部材２１０の上端部分を囲むように結合されることができる。一般的に前記組立体２００は、規格化されており、その形態においても一定の形状を成すようになっている。通常の針組立体２００で、前記固定部材２１０は後端部２１２の直径が前端部２１１の直径より若干大きくなるように形成され、全体的にテーパ状の形態からなっており、前端部２１１の断面形状は単純な円形ではなく、多数のリブが形成され、大体の形状が＋字状の形態を成す。また、前記固定部材２１０の後端部２１２には、突出段部が形成されていることが一般的である。このような形態の前記針組立体２００で、前記結合部１１下端の内径を前記固定部材２１０の後端部２１２の外径より若干小さく形成し、前記結合体１０が前記固定部材２１０の上端部分を包んだ状態で前記固定部材２１０に無理に嵌められるように形成することができる。
【００３６】
これとは別に、前記結合体１０が前記固定部材の前端部２１１に位置した状態で結合するように形成されることもできる。上述したように、前記前端部２１１の断面は略＋字の形状を成しており、前記結合部１１の内側面の形状はこれと対応するように形成される。この場合、前記固定部材２１０と結合体１０の接触面積が増加して両者間のさらに堅固な結合が可能であり、前記結合体１０は直径がより小さい形態で製作が可能で、本発明である注射針の長さ調節用管組立体１が前記針組立体２００により安定した形態で結合することができる。
【００３７】
図５は本発明のさらにまた他の実施例による調節管を示した斜視図及び断面図である。
【００３８】
本発明の望ましい実施例による注射針の長さ調節用管組立体１において、前記調節管２０は断面形状が円形または多角形で形成される。
【００３９】
前記調節管２０は外周面の形状が円形に形成することができるのはもちろん、断面の形状が多角形を成すように形成することもできる。前記調節管２０は、使用者が把持して前記結合体１０に対して動くことができるように構成されているもので、外周面の形状が単純な円形の場合には、操作が難しいこともある。前記調節管２０は比較的小さく形成され、使用者が把持できる部分が多くなく、把持する面が滑りやすいためである。このような点を考慮して前記調節管２０の外周面の形状はその断面が多角形を成すよう形成することが望ましい。
【００４０】
これとは別に前記調節管２０の外周縁に多数の突起２１を形成したり、凹凸を形成したりすることができる。図６には外周面に前記突起２１が形成されている前記調節管２０が示されている。これも、使用者が把持する際、滑らずに操作を行うことができるようにするためである。
【産業上の利用可能性】
【００４１】
本発明による注射針の長さ調節用管組立体は、針組立体の固定部材に結合される結合体と、結合体に移動可能なように結合された調節管を使用して注射針の露出の長さを調整できるため、通常の注射針が備わった注射器に簡単に組み合わせることにより注射針の露出の長さが調節可能である。
【符号の説明】
【００４２】
１      注射針の長さ調節用管組立体
１０    結合体
１１    結合部
１２    貫通口
２０    調節管
１００  シリンダー
２００  針組立体
２１０  固定部材
２１１  前端部
２１２  後端部
２２０  注射針
【図１】
2012515042.tif 000003
【図２】
2012515042.tif 000004
【図３】
2012515042.tif 000005
【図４】
2012515042.tif 000006
【図５】
2012515042.tif 000007
【図６】
2012515042.tif 000008
【国際調査報告】
2012515042.tif 000009
2012515042.tif 000010
2012515042.tif 000011
2012515042.tif 000012